(57)【特許請求の範囲】
【請求項１】
多数の矢印フリッカおよび出口フリッカを表示する表示方法において、
複数の各ユニットの媒体の出入口の近傍に挿入案内あるいは取出案内として表示する矢印フリッカ、および各ユニットの媒体の取出口の近傍に取出案内として表示する出口フリッカを設け、
主制御ユニットで生成したクロック信号およびスタート信号を上記各ユニットに供給し、上記各ユニットで矢印フリッカを点灯する旨の点灯指示信号を受信した時に、点灯しようとする矢印フリッカについて上記スタート信号に同期して上記クロック信号に従い矢印フリッカを順次点灯し、一方、上記各ユニットで出口フリッカを点灯する旨の点灯指示信号を受信した時に、点灯しようとする出口フリッカについて上記スタート信号に同期して上記クロック信号に従い出口フリッカを点灯あるいは点滅する
ことを特徴とする表示同期方法。
【請求項２】
上記複数のユニットからなる装置を複数台並べ、ある装置の上記主制御ユニットから全てのユニットに上記クロック信号およびスタート信号を供給することを特徴とする請求項１記載の表示同期方法。
【請求項３】
多数の矢印フリッカおよび出口フリッカを表示する表示装置において、
複数の各ユニットの媒体の出入口の近傍に挿入案内あるいは取出案内として表示する矢印フリッカ、および各ユニットの媒体の取出口の近傍に取出案内として表示する出口フリッカと、
クロック信号およびスタート信号を生成する主制御ユニットと、
上記主制御ユニットで生成したクロック信号およびスタート信号を上記各ユニットに供給する信号線と、
上記各ユニットで矢印フリッカを点灯する旨の点灯指示信号を受信した時に、点灯しようとする矢印フリッカについて上記スタート信号に同期して上記クロック信号に従い矢印フリッカを順次点灯し、一方、上記各ユニットで出口フリッカを点灯する旨の点灯指示信号を受信した時に、点灯しようとする出口フリッカについて上記スタート信号に同期して上記クロック信号に従い出口フリッカを点灯あるいは点滅する回路と
を備えたことを特徴とする表示同期装置。
【発明の詳細な説明】
【０００１】
【発明の属する技術分野】
本発明は、多数の矢印フリッカおよび／あるいは出口フリッカを表示する表示同期方法および表示同期装置に関するものである。
【０００２】
【従来の技術】
従来、自動機は紙幣、硬貨、投票券、投票カードなどの媒体を出入口に挿入指示したり、取り出し指示したり、出口から取り出し指示したりするために、ＬＥＤで構成した矢印フリッカや出口フリッカを点灯あるいは点滅していた。
【０００３】
【発明が解決しようとする課題】
このため、紙幣、硬貨、投票券、投票カードなどの多数の媒体を取り扱う自動機はそれぞれのユニットで出入口で矢印フリッカ、出口で出口フリッカを個別にそれぞれ点灯したり、点滅していたため、非常に見栄えが悪いと共に分りがたいという問題があった。特に、複数の自動機が並んで配置された場合、１つの自動機の中で例えば５ユニットのそれぞれの矢印フリッカ、出口フリッカが個別に点滅し、更に、複数台ともなると十数個以上の矢印フリッカや出口フリッカが個別に点滅し、見栄えが非常に悪くなってしまっていた。
【０００４】
本発明は、これらの問題を解決するため、自動機の複数ユニット内のそれぞれの矢印フリッカや出口フリッカを同期して点灯制御あるいは点滅制御し、多数の矢印フリッカ、出口フリッカの見栄えを良くして表示すると共に媒体の挿入／排出の案内を分りやすくすることを目的としている。
【０００５】
【課題を解決するための手段】
図１を参照して課題を解決するための手段を説明する。
【０００６】
図１において、自動機１は、媒体を挿入したり、媒体を排出したりする装置であって、主制御ユニット１１および複数のユニットから構成されるものである。
【０００７】
主制御ユニット１１は、クロック信号およびスタート信号を生成して各ユニットに供給するものである。
【０００８】
ユニットは、媒体を挿入したり、媒体を排出したりするものであって、ここでは、媒体の挿入を案内あるいは媒体の取出しを案内する矢印フリッカ２１、媒体の取出しを案内する出口フリッカ２２を設けたものである。
【０００９】
次に、動作を説明する。
複数の各ユニットの媒体の出入口の近傍に挿入案内あるいは取出案内として表示する矢印フリッカ２１を設け、主制御ユニット１１で生成したクロック信号およびスタート信号を各ユニットに供給し、各ユニットで矢印フリッカ２１を点灯するときは、点灯しようとする矢印フリッカ２１についてスタート信号に同期してクロック信号に従い矢印フリッカ２１を順次点灯するようにしている。
【００１０】
また、複数の各ユニットの媒体の取出口の近傍に設けた取出案内として表示する出口フリッカ２２を設け、主制御ユニット１１で生成したクロック信号およびスタート信号を各ユニットに供給し、各ユニットで出口フリッカ２２を点灯するときは、点灯しようとする出口フリッカ２２についてスタート信号に同期してクロック信号に従い出口フリッカ２２を点灯あるいは点滅するようにしている。
【００１１】
これらの際に、複数のユニットからなる自動機１を複数台並べ、ある自動機１の主制御ユニット１１から全てのユニットにクロック信号およびスタート信号を供給するようにしている。
【００１２】
従って、自動機１の複数ユニット内のそれぞれの矢印フリッカ２１や出口フリッカ２２を同期して点灯制御あるいは点滅制御することにより、多数の矢印フリッカ２１、出口フリッカ２２を見栄えを良くして表示すると共に媒体の挿入／排出の案内を分りやすくすることが可能となる。
【００１３】
【発明の実施の形態】
次に、図１から図４を用いて本発明の実施の形態および動作を順次詳細に説明する。
【００１４】
図１は、本発明の説明図を示す。
図１において、自動機１は、紙幣、硬貨、投票券、投票カードなどの媒体を挿入口に挿入したり、媒体を取出口（排出口）から取り出したりする装置であって、ここでは、主制御ユニット１１および複数のユニットから構成されるものであり、複数台を並べて配置するものである。
【００１５】
主制御ユニット１１は、全体を統括制御するものであって、ここでは、矢印フリッカ２１および出口フリッカ２２を同期して点灯制御あるいは点滅制御するためのクロック信号およびスタート信号などを生成して各ユニットに供給するものである（図２から図４参照）。
【００１６】
ユニットは、媒体を挿入したり、媒体を排出したりするものであって、ここでは、１２から１６などから構成されるものである。
【００１７】
発行券ユニット１２は、各種媒体（銀行通帳、カードなど）を発行するものであって、ここでは、媒体が排出された案内を行なう出口フリッカ２２を設けるユニットである。
【００１８】
紙幣ユニット１３は、媒体である紙幣を挿入（投入）したり、紙幣を取り出したりするものであって、紙幣の挿入および取出しを案内する矢印フリッカ２１、紙幣が排出されたことを案内する出口フリッカ２２を設けるユニットである。
【００１９】
払戻券ユニット１４は、馬券などの払戻を受けるものであって、ここでは、当り馬券などを挿入および済みスタンプの押下した馬券などの排出を案内する矢印フリッカ２１、払戻紙幣などの排出されたことを案内する出口フリッカ２２を設けるユニットである。
【００２０】
カードユニット１５は、カードの挿入および排出を案内する矢印フリッカ２１、カードなどの排出を案内する出口フリッカ２２を設けるユニットである。
【００２１】
硬貨ユニット１６は、硬貨の排出を案内する出口フリッカ２２を設けるものである。
【００２２】
矢印フリッカ２１は、後述する図４の（ａ）に示すように、マトリックス状のＬＥＤを順次表示して矢印が流れるように順次点灯し、矢印が紙幣などの媒体の挿入口に向かうようにして媒体の挿入案内、あるいは矢印が外方向に向かうようにして紙幣などの取出しを案内したりするための表示器である。
【００２３】
出口フリッカ２２は、紙幣、カード、硬貨などの媒体の出口に設けて媒体の取出しを案内する表示器であって、ここでは、点灯あるいは点滅して案内するものである。
【００２４】
図２は、本発明のシステム構成図を示す。これは、図１の主制御ユニット１１から他のユニット１２から１６に信号を供給して矢印フリッカ２１、出口フリッカ２２を同期して点灯、点滅などするシステム構成を示す。
【００２５】
図２において、主制御ユニット１１は、全体を同期制御するものであって、ここでは、主発振器３１、スタート制御回路３２、フリッカ制御回路３３などから構成されるものである。
【００２６】
主発振器３１は、矢印フリッカ２１および出口フリッカ２２を同期制御するための▲１▼クロック信号を発振して生成するものである。
【００２７】
スタート制御回路３２は、矢印フリッカ２１および出口フリッカ２２の点灯制御あるいは点滅制御を同期してスタートさせる▲２▼スタート信号を生成するものである。
【００２８】
フリッカ御回路３３は、矢印フリッカ２１および出口フリッカ２２の点灯あるいは点滅（ＯＮあるいはＯＦＦ）を制御する▲３▼フリッカ信号を生成するものである。
【００２９】
紙幣ユニット１３ないし硬貨ユニット１６は、主制御ユニット１１から▲１▼クロック信号、▲２▼スタート信号、▲３▼フリッカ信号の供給を受け、当該各ユニット内の矢印フリッカ２１、出口フリッカ２２を点灯制御あるいは点滅制御するユニットである（図３にユニット内の詳細構成を示す）。
【００３０】
以上のように、主制御ユニット１１で▲１▼クロック信号、▲２▼スタート信号、▲３▼
フリッカ信号を生成し、各ユニットに供給して矢印フリッカ２１、出口フリッカ２２をそれぞれ点灯するときには同期して点灯制御あるいは点滅制御することが可能となる。
【００３１】
図３は、本発明のカードユニット例を示す。図示のカードユニット１５は、ユニット１３から１６のうちの１例であって、ここでは、カウンタ４１、フリッカ制御回路４２、電源４３、ＬＥＤをマトリックス状に配置した表示器である矢印フリッカ２１、出口フリッカ２２などから構成されるものである。
【００３２】
カウンタ４１は、主制御ユニット１１から供給された▲１▼クロック信号をカウントしてその値（図４の（ａ）、（ｂ）の▲１▼から▲９▼に相当する値）をフリッカ制御回路４２に入力するものである。
【００３３】
フリッカ制御回路４２は、カウンタ４１で計数した値、主制御ユニット１１から供給された同期スタート用の▲２▼スタート信号、矢印フリッカ２１および出口フリッカ２２を点滅動作させる指示である▲３▼フリッカ信号をもとに、矢印フリッカ２１を点灯制御するための▲４▼矢印制御信号および出口フリッカ２２を点滅制御させるための▲５▼出口制御信号を生成するものである。
【００３４】
電源４３は、▲４▼矢印制御信号および▲５▼出口制御信号をもとに、矢印フリッカ２１に矢印を点灯させる電源を供給したり、出口フリッカ２２を点滅させる電源を供給したりするものである。
【００３５】
以上のように各ユニットにカウンタ４１、フリッカ制御回路４２、電源４３を設け、主制御ユニット１１からの▲１▼クロック信号、▲２▼スタート信号、▲３▼フリッカ信号をもとに矢印フリッカ２１に矢印を点灯させてカードの挿入案内あるいはカードの取出案内したり、出口フリッカ２２を点滅してカードの取出案内したりなどすることが可能となる。次に、矢印フリッカ２１および出口フリッカ２２の点灯制御について図４のタイムチャートを用いて詳細に説明する。
【００３６】
図４は、本発明のタイムチャートを示す。
図４の（ａ）は、挿入口矢印表示の例を示す。これは、既述した図３の矢印フリッカ２１に矢印を点灯させるときのタイムチャートを示す。
【００３７】
図４の（ａ）において、
（０）は、５×５個のＬＥＤをマトリックス状に配置した矢印フリッカ２１に、ここでは、上向きに矢印を移動させて点灯（●は点灯）する様子を示す。横軸は時間で▲１▼から▲９▼のステップを繰り返すことで上向きに矢印を移動させて点灯するようにしている。
【００３８】
（１）は、▲１▼クロック信号を示す。▲１▼クロック信号は、既述した主制御ユニット１１で生成して各ユニットに供給したクロック信号である。ここでは、▲１▼クロック信号の立ち上がりで矢印フリッカ２１の点灯を切り替えるようにしている。
【００３９】
（２）は、▲２▼スタート信号を示す。▲２▼スタート信号は、既述した主制御ユニット１１で生成して各ユニットに供給したスタート信号であり、全ユニットの全矢印フリッカ２１が点灯を開始するための同期信号である。
【００４０】
（３）は、ランプＯＮ信号であって、ここでは、出金以外と出金とに分けて点灯制御するための信号である。
【００４１】
以上の（１）から（３）に図示の各信号をもとに、（０）の矢印フリッカ２１に▲１▼から▲９▼の繰り返しで、上向きに移動する矢印を点灯することが可能となる。この際、▲１▼クロック信号、▲２▼スタート信号を全てのユニットに供給し、全てのユニットの矢印フリッカ２１に、同期して上向きに移動する矢印を点灯制御し、見映え良くかつ見やすく表示することが可能となる。
【００４２】
図４の（ｂ）は、出金時の紙幣出口ＬＥＤ点滅表示の例を示す。これは、既述した図３の出口フリッカ２２を点滅させるときのタイムチャートを示す。
【００４３】
図４の（ｂ）において、
（１１）は、▲１▼クロック信号を示す。▲１▼クロック信号は、既述した主制御ユニット１１で生成して各ユニットに供給したクロック信号である。ここでは、▲１▼クロック信号の複数間隔の立ち上がりで出口フリッカ２２の点滅を切り替える（図示の例では５個の間ＯＮ，４個の間ＯＦＦに切り替える）ようにしている。
【００４４】
（１２）は、▲３▼フリッカ信号であって、既述した主制御ユニット１１で生成して各ユニットに供給したフリッカ信号であり、出口フリッカ２２の点滅制御のＯＮあるいはＯＦＦを制御するものである。
【００４５】
以上の（１１）から（１２）に図示の各信号をもとに、出口フリッカ２２に▲１▼から▲５▼のときＯＮ，▲６▼から▲９▼のときＯＦＦに繰り返して点滅制御することが可能となる。この際、▲１▼クロック信号、▲２▼スタート信号を全てのユニットに供給し、全てのユニットの出口フリッカ２２を同期して点滅制御し、見映え良くかつ見やすく表示することが可能となる。
【００４６】
（付記１）
多数の矢印フリッカを表示する表示方法において、
複数の各ユニットの媒体の出入口の近傍に挿入案内あるいは取出案内として表示する矢印フリッカを設け、
主制御ユニットで生成したクロック信号およびスタート信号を上記各ユニットに供給し、上記各ユニットで矢印フリッカを点灯するときは、点灯しようとする矢印フリッカについて上記スタート信号に同期して上記クロック信号に従い矢印フリッカを順次点灯することを特徴とする表示同期方法。
【００４７】
（付記２）
多数の出口フリッカを表示する表示方法において、
複数の各ユニットの媒体の取出口の近傍に設けた取出案内として表示する出口フリッカを設け、
主制御ユニットで生成したクロック信号およびスタート信号を上記各ユニットに供給し、上記各ユニットで出口フリッカを点灯するときは、点灯しようとする出口フリッカについて上記スタート信号に同期して上記クロック信号に従い出口フリッカを点灯あるいは点滅することを特徴とする表示同期方法。
【００４８】
（付記３）
上記複数のユニットからなる装置を複数台並べ、ある装置の上記主制御ユニットから全てのユニットに上記クロック信号およびスタート信号を供給することを特徴とする付記１あるいは付記２記載の表示同期方法。
【００４９】
（付記４）
多数の矢印フリッカを表示する表示装置において、
複数の各ユニットの媒体の出入口の近傍に挿入案内あるいは取出案内として表示する矢印フリッカと、
クロック信号およびスタート信号を生成する主制御ユニットと、
上記主制御ユニットで生成したクロック信号およびスタート信号を上記各ユニットに供給する信号線と、
上記各ユニットで矢印フリッカを点灯するときは、点灯しようとする矢印フリッカについて上記スタート信号に同期して上記クロック信号に従い矢印フリッカを順次点灯する回路と
を備えたことを特徴とする表示同期装置。
【００５０】
（付記５）
多数の出口フリッカを表示する表示装置において、
複数の各ユニットの媒体の取出口の近傍に取出案内として表示する出口フリッカと、
クロック信号およびスタート信号を生成する主制御ユニットと、
上記主制御ユニットで生成したクロック信号およびスタート信号を上記各ユニットに供給する信号線と、
上記各ユニットで出口フリッカを点滅するときは、点滅しようとする出口フリッカについて上記スタート信号に同期して上記クロック信号に従い出口フリッカを点滅する回路と
を備えたことを特徴とする表示同期装置。
【００５１】
【発明の効果】
以上説明したように、本発明によれば、自動機１の複数ユニット内のそれぞれの矢印フリッカ２１や出口フリッカ２２を同期して点灯制御あるいは点滅制御する構成を採用しているため、多数の矢印フリッカ２１、出口フリッカ２２を見栄え良くして表示すると共に媒体の挿入／排出の案内を分りやすくすることが可能となる。
【図面の簡単な説明】
【図１】本発明の説明図である。
【図２】本発明のシステム構成図である。
【図３】本発明のカードユニット例である。
【図４】本発明のタイムチャート例である。
【符号の説明】
１：自動機
１１：主制御ユニット
１２から１６：ユニット
２１：矢印フリッカ
２２：出口フリッカ
３１：主発振器
３２：スタート制御回路
３３：フリッカ制御回路
４１：カウンタ
４２：フリッカ制御回路
４３：電源
▲１▼：クロック信号
▲２▼：スタート信号
▲３▼：フリッカ信号
【図１】
0004126085.tif 000002
【図２】
0004126085.tif 000003
【図３】
0004126085.tif 000004
【図４】
0004126085.tif 000005